(57)【要約】【課題】  既存の室外機に対して大幅な設計変更を行うことなく、適正ブラシレスＤＣモータ以外のブラシレスＤＣモータが誤って室外機に実装されていることを検出可能な空気調和装置の室外機のモータ種別判定装置及びモータ種別判定方法を提供すること。【解決手段】  ブラシレスＤＣモータに試験電圧Ｖｔが印加された場合に回転速度検出手段５０ａによって検出されたブラシレスＤＣモータの回転速度が、試験電圧が印加されたときの適正ブラシレスＤＣモータの回転速度を含む一つの領域である適正回転速度領域にあるか否かを、判定データを参照しながら判定する判定手段５０ａを備える。【選択図】  図３
2018028393.tif 000002
【特許請求の範囲】
【請求項１】
空気調和装置の一部をなし且つファン及び該ファンの回転によって形成された気流と熱交換を行う熱交換手段を有する室外機に搭載される、前記ファンを回転させるためのブラシレスＤＣモータの種別を判定するモータ種別判定装置であって、
前記ブラシレスＤＣモータの回転速度を検出する回転速度検出手段と、
前記ブラシレスＤＣモータの代わりに前記室外機に搭載され且つ使用可能範囲電圧が印加されたときに前記熱交換手段に定格熱交換能力を発揮させる回転速度で回転する適正ブラシレスＤＣモータに電圧を印加したきの、前記電圧の大きさと前記適正ブラシレスＤＣモータの回転速度との関係を表した判定データが記録された記憶手段と、
前記室外機に搭載された前記ブラシレスＤＣモータに試験電圧を印加する電圧印加手段と、
前記ブラシレスＤＣモータに前記試験電圧が印加された場合に前記回転速度検出手段によって検出された前記ブラシレスＤＣモータの回転速度が、前記試験電圧が印加されたときの前記適正ブラシレスＤＣモータの回転速度を含む一つの領域である適正回転速度領域にあるか否かを、前記判定データを参照しながら判定する判定手段と、
を備える、空気調和装置の室外機のモータ種別判定装置。
【請求項２】
空気調和装置の一部をなし且つファン及び該ファンの回転によって形成された気流と熱交換を行う熱交換手段を有する室外機に搭載される、前記ファンを回転させるためのブラシレスＤＣモータの種別を判定するモータ種別判定方法であって、
前記室外機に搭載された前記ブラシレスＤＣモータに試験電圧を印加するステップ、
前記ブラシレスＤＣモータの回転速度を検出するステップ、
前記ブラシレスＤＣモータの代わりに前記室外機に搭載され且つ使用可能範囲電圧が印加されたときに前記熱交換手段に定格熱交換能力を発揮させる回転速度で回転する適正ブラシレスＤＣモータに電圧を印加したきの、前記電圧の大きさと前記適正ブラシレスＤＣモータの回転速度との関係を表した判定データを利用して、前記ブラシレスＤＣモータに前記試験電圧が印加された場合に前記回転速度検出手段によって検出された前記ブラシレスＤＣモータの回転速度が、前記試験電圧が印加されたときの前記適正ブラシレスＤＣモータの回転速度を含む一つの領域である適正回転速度領域にあるか否かを、前記判定データを参照しながら判定するステップ、
を有する、空気調和装置の室外機のモータ種別判定方法。
【発明の詳細な説明】
【技術分野】
【０００１】
本発明は、空気調和装置の室外機のファンを回転させるためのモータの種別を判定するためのモータ種別判定装置及びモータ種別判定方法に関する。
【背景技術】
【０００２】
従来から室内機と室外機とを備える空気調和装置が知られている。
室内機は熱交換手段を備えている。
【０００３】
室外機は、圧縮機、膨張弁、アキュムレータ、ファン、ファンを駆動するファンモータ及びこれらの部材を内部に収納した筐体を備えている。
さらに筐体の一部は、互いに平行をなす多数のフィンにより構成されている。各フィンは、上下方向に長い薄板状部材であり、その幅方向は筐体の側壁の厚み方向と平行である。さらに隣接するフィンの間には、筐体をその厚み方向に貫通し且つ筐体の内側空間と外側空間とを連通する多数の連通路が形成されている。さらに各フィンには、内部を冷媒又は冷却水が流れる熱交換用チューブが接続されている。フィン及び熱交換用チューブが熱交換手段を構成している。
なお、室内機の熱交換手段は、室外機の熱交換手段と同様の構造である。
【０００４】
ファンモータの駆動力によって室外機のファンが回転すると、筐体の外側空間の空気が連通路を介して内側空間へ流れ込み、さらに筐体の連通路とは別の部位に形成された出口側開口から外側空間へ流れ出る。このようにファンの作動によって、室外機の内外の間を流れる気流が形成される。
室外機に搭載されるファンモータとしては、一般的にブラシレスＤＣモータが使用される。
【０００５】
熱交換手段は、単体（一枚）として室外機に設けられる場合がある。その一方で、複数（複数枚）の熱交換手段が筐体の側壁の厚み方向に並べられた状態で室外機に設けられる場合がある。このように室外機に設けられる熱交換手段の数（枚数）は、室外機毎に異なる。
また、熱交換手段の一つずつ（一枚ずつ）の熱交換能力Ｃは、熱交換手段を構成するフィンの枚数及び熱交換用チューブの長さ等によって異なる。
そのため、熱交換手段全体の定格の熱交換能力Ｃ（以下、定格の熱交換能力Ｃを「定格熱交換能力」と呼ぶ）は室外機毎に異なる。
【０００６】
熱交換手段全体の熱交換能力Ｃは、Ｃ＝Δｔ×Ｑ・・・式（１）によって定義される。
ここで、
Δｔ：ファンを回転させたときに形成される気流の連通路に対して外側から隣接する領域の温度と出口側開口に対して外側から隣接する領域の温度との差
Ｑ：熱交換手段（連通路）を流れる気流の単位時間当たりの風量、
である。
さらに、風量Ｑ＝ｋ・Ｎ・・・式（２）である（ｋは定数）。即ち、風量Ｑはファンモータの回転速度Ｎ（単位時間当たりの回転数）に比例する。
【０００７】
ところで、ファンモータの仕事量Ｗは、Ｗ＝Δｐ×Ｑ・・・式（３）によって定義される。
ここで、
Δｐ：室外機の内部空間の気圧と出口側開口に対して外側から隣接する領域の気圧との差（以下、「差圧」と呼ぶ）、
である。
差圧Δｐ＝ｆ（Ｑ）・・・式（４）である。即ち、差圧ΔｐはＱの関数として定義できる。ΔｐとＱとの関係は熱交換手段の仕様毎に異なる。
従って、式（２）（３）（４）から、
ファンモータの仕事量Ｗ＝ｋ・Ｎ・ｆ（Ｑ）・・・式（５）となる。即ち、ファンモータの仕事量Ｗは回転速度Ｎと一定の関係を有する。
【０００８】
さらに、式（１）及び式（３）から明らかなように、熱交換手段の熱交換能力Ｃ及びファンモータの仕事量ＷはＱの関数である。
そのため、熱交換手段の熱交換能力Ｃとファンモータの仕事量Ｗとの間には一定の相関関係がある。より詳細には、熱交換能力Ｃと仕事量Ｗはほぼ比例する。そのため、空気調和装置の制御手段は、室内機が設置された空間の温度をユーザーによって設定された設定温度とするために必要な熱交換手段の熱交換能力Ｃに基づいて、ファンモータの回転速度Ｎ（仕事量Ｗ）を調整する。
【０００９】
例えば、室内機が設置されている空間の空気調和装置を作動させる前の実際の室温と、ユーザーによって設定された設定温度（当該空間の目標温度）との差が大きい場合は、室外機の熱交換手段は大きな熱交換能力Ｃを発揮する必要がある。そのため、空気調和装置の制御手段は、ファンモータの仕事量Ｗを大きくするために、回転速度Ｎが大きくなるようにファンモータを回転制御する。その一方で、空気調和装置を作動させる前の上記空間の実際の室温と、設定温度との差が小さい場合は、室外機の熱交換手段は小さな熱交換能力Ｃを発揮する必要がある。そのため、空気調和装置の制御手段は、ファンモータの仕事量Ｗを小さくするために、回転速度Ｎが小さくなるようにファンモータを回転制御する。
【００１０】
ところである特定のブラシレスＤＣモータ（ファンモータ）に一つの大きさの電圧（実効値）の交流電流を供給した場合、ブラシレスＤＣモータの回転速度ＮはこのブラシレスＤＣモータに掛かる負荷の大きさによって変化する。
さらに、周知のようにブラシレスＤＣモータの負荷と仕事量Ｗとは比例関係にあり、且つ、上述のように熱交換手段の熱交換能力Ｃとファンモータの仕事量Ｗはほぼ比例する。即ち、ブラシレスＤＣモータの負荷と熱交換手段の熱交換能力Ｃはほぼ比例する。
従って、空気調和装置の室外機に設けられたブラシレスＤＣモータ（ファンモータ）に一定値の電圧を印加した場合、このときのブラシレスＤＣモータの回転速度Ｎは、熱交換手段の定格熱交換能力の大きさ（熱交換手段の仕様）によって決まる。
【００１１】
そして、空気調和装置では、ブラシレスＤＣモータ（ファンモータ）と熱交換手段（定格熱交換能力）との組み合わせ態様は室外機毎に決まっている（換言すると、一つの態様に固定されている）。
従って、一つの室外機のブラシレスＤＣモータに印加した電圧の大きさと回転速度Ｎとの関係は、この室外機固有の一つの特定関係となる。
【００１２】
さらに周知のように、ブラシレスＤＣモータに対して、そのブラシレスＤＣモータにとって適正な大きさの電圧である使用可能範囲電圧（定格電圧よりもある程度小さい電圧とある程度大きい電圧との間の範囲の電圧）より大きい電圧が印加されると、このブラシレスＤＣモータは、過剰に発熱したり、寿命が低下したりする。一方、ブラシレスＤＣモータに使用可能範囲電圧より小さい電圧が印加されると、このブラシレスＤＣモータは所期の性能を発揮できない。
そのため、ブラシレスＤＣモータによってファンを回転させるときは、このブラシレスＤＣモータに使用可能範囲電圧を印加する必要がある。
【００１３】
ところでブラシレスＤＣモータには様々な容量のものが存在する。そして、室外機の熱交換手段の定格熱交換能力が同じ場合は、モータ容量が大きくなればなる程、同一電圧が印加されたときに、ブラシレスＤＣモータの回転速度は大きくなる。
従って、室外機の熱交換手段の定格熱交換能力が大きい場合も、ファンモータ（ブラシレスＤＣモータ）に使用可能範囲電圧を印加したときに、このファンモータは所定範囲の回転速度Ｎ（即ち、熱交換手段に定格熱交換能力を発揮させることが可能な範囲の回転速度）で回転しなければならない。そのためこの場合は、室外機のファンモータとして容量が大きいブラシレスＤＣモータを利用する。
一方、同様の理由により、室外機の熱交換手段の定格熱交換能力が小さい場合は、室外機のファンモータとして容量が小さいブラシレスＤＣモータを利用する。
【００１４】
このように、室外機の仕様毎に好適なブラシレスＤＣモータは異なる。
以下、本明細書では、室外機にとって好適なブラシレスＤＣモータを「適正ブラシレスＤＣモータ」と呼ぶ。
【先行技術文献】
【特許文献】
【００１５】
【特許文献１】特開２０００−３２６１６号公報
【発明の概要】
【００１６】
（発明が解決しようとする課題）
室外機の製造作業を行う作業者が、誤って適正ブラシレスＤＣモータ以外のブラシレスＤＣモータをファンモータとして室外機に実装してしまうおそれがある。
この場合は、制御手段の制御によってブラシレスＤＣモータが回転したときに、室内機が設置された空間の温度がユーザーによって設定された設定温度にならないおそれがある。また、ファンモータが過剰に発熱したり、寿命が低下したりするおそれもある。
【００１７】
しかし従来は、既存の室外機に対して大幅な設計変更を行うことなく、適正ブラシレスＤＣモータ以外のブラシレスＤＣモータが誤って室外機に実装されているか否かを判定する装置及び方法が存在しなかった。
【００１８】
本発明は、既存の室外機に対して大幅な設計変更を行うことなく、適正ブラシレスＤＣモータ以外のブラシレスＤＣモータが誤って室外機に実装されていることを検出可能な空気調和装置の室外機のモータ種別判定装置及びモータ種別判定方法を提供することを目的とする。
【００１９】
（課題を解決するための手段）
本発明は、空気調和装置の一部をなし且つファン及び該ファンの回転によって形成された気流と熱交換を行う熱交換手段を有する室外機に搭載される、前記ファンを回転させるためのブラシレスＤＣモータの種別を判定するモータ種別判定装置であって、前記ブラシレスＤＣモータの回転速度を検出する回転速度検出手段と、前記ブラシレスＤＣモータの代わりに前記室外機に搭載され且つ使用可能範囲電圧が印加されたときに前記熱交換手段に定格熱交換能力を発揮させる回転速度で回転する適正ブラシレスＤＣモータに電圧を印加したきの、前記電圧の大きさと前記適正ブラシレスＤＣモータの回転速度との関係を表した判定データが記録された記憶手段と、前記室外機に搭載された前記ブラシレスＤＣモータに試験電圧を印加する電圧印加手段と、前記ブラシレスＤＣモータに前記試験電圧が印加された場合に前記回転速度検出手段によって検出された前記ブラシレスＤＣモータの回転速度が、前記試験電圧が印加されたときの前記適正ブラシレスＤＣモータの回転速度を含む一つの領域である適正回転速度領域にあるか否かを、前記判定データを参照しながら判定する判定手段と、を備えるのがよい。
【００２０】
また、本発明は、空気調和装置の一部をなし且つファン及び該ファンの回転によって形成された気流と熱交換を行う熱交換手段を有する室外機に搭載される、前記ファンを回転させるためのブラシレスＤＣモータの種別を判定するモータ種別判定方法であって、前記室外機に搭載された前記ブラシレスＤＣモータに試験電圧を印加するステップ、前記ブラシレスＤＣモータの回転速度を検出するステップ、前記ブラシレスＤＣモータの代わりに前記室外機に搭載され且つ使用可能範囲電圧が印加されたときに前記熱交換手段に定格熱交換能力を発揮させる回転速度で回転する適正ブラシレスＤＣモータに電圧を印加したきの、前記電圧の大きさと前記適正ブラシレスＤＣモータの回転速度との関係を表した判定データを利用して、前記ブラシレスＤＣモータに前記試験電圧が印加された場合に前記回転速度検出手段によって検出された前記ブラシレスＤＣモータの回転速度が、前記試験電圧が印加されたときの前記適正ブラシレスＤＣモータの回転速度を含む一つの領域である適正回転速度領域にあるか否かを、前記判定データを参照しながら判定するステップ、を有するのがよい。
【００２１】
本発明では、ブラシレスＤＣモータに試験電圧が印加された場合に回転速度検出手段によって検出されたブラシレスＤＣモータの回転速度が、判定データの適正回転速度領域にあるか否かを判定手段が判定する。
そして、回転速度が適正回転速度領域にある場合は、室外機に実装されているブラシレスＤＣモータは適正ブラシレスＤＣモータであると判断できる。
その一方で、回転速度が適正回転速度領域にない場合は、室外機に実装されているブラシレスＤＣモータは適正ブラシレスＤＣモータではないと判断できる。
【００２２】
さらに、ブラシレスＤＣモータは、自身の回転子の回転位置を検出するための電気角検出手段を一般的に備えている。従って、既存の室外機に対して大幅な設計変更を行う必要がない。
なお、電気角検出手段を内蔵していないブラシレスＤＣモータも存在する。従って、この種のブラシレスＤＣモータをファンモータとして利用している既存の室外機に対して設計変更を行うことにより本発明を実現する場合は、ブラシレスＤＣモータの設計変更を行う必要がある。しかし、この場合の設計変更は極めて簡単である。即ち、この場合も大幅な設計変更を行う必要がない。
【図面の簡単な説明】
【００２３】
【図１】本発明の一実施形態の空気調和装置の室外機の正面図である。
【図２】室外機の断面図である。
【図３】ファンモータに印加される電圧と回転速度との関係を示すグラフである。
【発明を実施するための形態】
【００２４】
以下、本発明の一実施形態について添付図面を参照して説明する。
本実施形態の空気調和装置１０はガスヒートポンプエアコン（ＧＨＰ）である。空気調和装置１０は、建物の室内に設置される室内機（図示略）と、建物の外に設置される室外機１５と、を備えている。さらに室内機と室外機１５は、後述する冷媒管により互いに接続されている。
【００２５】
図１に示すように室外機１５は筐体１６を備えている。さらに筐体１６は、筐体１６の下部を構成する下部筐体１７と、筐体１６の上部を構成する上部筐体１８と、を備えている。下部筐体１７の内部空間はエンジンルーム１９を構成しており、上部筐体１８の内部空間は熱交換室２０を構成している。さらに筐体１６は、その内部においてエンジンルーム１９と熱交換室２０とを仕切る水平板状の仕切板（図示略）を備えている。
【００２６】
図示は省略してあるが、下部筐体１７のエンジンルーム１９には、ガスによって作動するガスエンジン、圧縮機、膨張弁、及びアキュムレータなどが設けられている。
【００２７】
図２に示すように上部筐体１８の側壁の一部は、共にフィンアンドチューブ構造である室外熱交換器２２及びラジエータ２８により構成されている。この室外熱交換器２２及びラジエータ２８が熱交換手段の構成要素である。
図２に示すように、上部筐体１８の室外熱交換器２２とラジエータ２８とによって構成された部位は４層構造となっている。即ち、外周側の２つの層が室外熱交換器２２によって構成され、内周側の２つの層がラジエータ２８によって構成されている。
【００２８】
室外熱交換器２２は、水平方向に略一定間隔で並べられた、金属板からなる複数（多数）のフィン２３を備えている。各フィン２３は上下方向に延びており、その幅方向は上部筐体１８の側壁の厚み方向と平行である。外周側に位置する各フィン２３の内周側端面は、内周側に位置する各フィン２３の外周側端面とそれぞれ近接している。各フィン２３の上下両端は、上部筐体１８の上端を構成する固定部材と下端を構成する固定部材とにそれぞれ固定されている。
さらに室外熱交換器２２は、各フィン２３を水平方向に貫通する金属製の一本の冷却用チューブ２４を備えている。冷却用チューブ２４は、水平方向に延びる複数の水平部と、上下に隣接する水平部の端部同士を接続し且つ半円状をなす複数の端部接続部と、を一体的に備えている。
【００２９】
ラジエータ２８は、水平方向にフィン２３同士の間隔と略同一間隔で並べられた、金属板からなる複数（多数）のフィン２９を備えている。各フィン２９は上下方向に延びており、その幅方向は上部筐体１８の側壁の厚み方向と平行である。内周側に位置する各フィン２９の外周側端面は、外周側に位置する各フィン２９の内周側端面とそれぞれ近接している。さらに外周側に位置する各フィン２９の外周側端面が、内周側に位置する各フィン２３の内周側端面とそれぞれ近接している。
各フィン２９の下端は上部筐体１８の下端を構成する固定部材に固定されている。
さらにラジエータ２８は、各フィン２９を水平方向に貫通する金属製の一本の冷却水用チューブ３０を備えている。冷却水用チューブ３０は、水平方向に延びる複数の水平部と、上下に隣接する水平部の端部同士を接続し且つ半円状をなす複数の端部接続部（図示略）と、を一体的に備えている。
【００３０】
互いに水平方向に近接する各フィン２３とフィン２９との間には、上部筐体１８の側壁をその厚み方向に貫通する複数の連通路３３が形成されている。各連通路３３は上部筐体１８の内側空間と外側空間とを連通させている。
【００３１】
空気調和装置１０は、室内機と室外機１５に跨って設けられた冷媒管（図示略）を備えている。冷媒管の内部には冷媒（伝熱流体）が充填されている。
冷媒管の室内機内に位置する部位には、室内機側熱交換器が接続されている。
冷媒管の室外機１５内に位置する複数の部位には、圧縮機、膨張弁、及びアキュムレータ等がそれぞれ設けられている。さらに冷媒管の室外機１５内に位置する圧縮機、膨張弁、及びアキュムレータ等とは異なる部位には、冷却用チューブ２４の両端が接続されている。
【００３２】
室外機１５は、内部を冷却水（伝熱流体）が流れる冷却水管（図示略）を備えている。この冷却水管の一部にはガスエンジンが接続されている。さらに冷却水管の一部には冷却水用ポンプが設けられている。冷却水管の一部は互いに並列をなす第一分岐路と第二分岐路とにより構成されている。第一分岐路は、筐体１６内に設けられたエンジン排熱回収器（図示略）を介して冷媒管の一部に接続されている。また第二分岐路には冷却水用チューブ３０の両端が接続されている。さらに冷却水管の一部には、冷却水を第一分岐路と第二分岐路の一方側へ選択して流すための切換弁（図示略）が設けられている。切換弁は、冷却水管内の冷却水を第一分岐路側にのみ流す第一切換状態と、第二分岐路側にのみ流す第二切換状態と、に切換え可能である。
【００３３】
上部筐体１８の天井板１８ａには２つの排気孔１８ｂが形成されている。
さらに天井板１８ａの下面には、各排気孔１８ｂと対応させて２つのファン３６ａ、３６ｂが設けられている。
各ファン３６ａ、３６ｂには、ブラシレスＤＣモータからなるファンモータ３８ａ、３８ｂがそれぞれ接続されている。ファンモータ３８ａ、３８ｂには、これらの回転子の電気角（回転角）を検出するための電気角検出手段３９ａ、３９ｂがそれぞれ設けられている。電気角検出手段３９ａ、３９ｂは、例えばレゾルバ又はエンコーダ（ホール素子）により構成可能である。
【００３４】
図２に示すように、下部筐体１７の内部には制御手段４０が設けられている。この制御手段４０はＣＰＵ等を備えている。さらに、制御手段４０はコンバータ回路及びインバータ回路を備えている。ファンモータ３８ａ、３８ｂからからそれぞれ延びる電力供給線４１及び電気角信号送信線４２は制御手段４０に接続されている。
また、筐体１６の壁面には、筐体１６の外側に露出する態様でコネクタ４５が固定されている。そして、制御手段４０から延びる信号線４６及び電力供給線４７がコネクタ４５に接続されている。
【００３５】
図示を省略した交流電源の電力が室外機１５に供給されると、上記コンバータ回路によってこの電力が直流電流に変換され、さらに直流電流がインバータ回路により所定周波数の交流電流に変換される。そして制御手段４０が、この交流電流をファンモータ３８ａ、３８ｂに供給することにより、ファンモータ３８ａ、３８ｂが回転し、その結果、２つのファン３６ａ、３６ｂが回転する。このとき制御手段４０は、ファンモータ３８ａ、３８ｂに供給する印加電圧のＤｕｔｙ比を調整するＰＷＭ制御を実行することにより、ファンモータ３８ａ、３８ｂに供給する電力の印加電圧の大きさを調整する。具体的には、制御手段４０は、ファンモータ３８ａ、３８ｂに供給する電力の電圧値（実効値）を使用可能範囲電圧となるように調整する。
ファンモータ３８ａ、３８ｂが回転すると、室外熱交換器２２の各連通路３３を通して上部筐体１８の外側の空気が熱交換室２０内へ流れ込み、さらに熱交換室２０に流れた空気が上部筐体１８の各排気孔１８ｂから上部筐体１８の上方へ排気される。即ち、ファン３６ａ、３６ｂが回転すると図２に矢印で示した気流が形成される。
【００３６】
空気調和装置１０を暖房モードで作動させると、ガスエンジンの駆動力により圧縮機が作動し、圧縮機が低圧ガス冷媒を圧縮して高温高圧ガス冷媒を生成する。そして、圧縮機が生成した高温高圧ガス冷媒を冷媒管の一方側へ吐出する。するとこの高温高圧ガス冷媒は冷媒管を流れて室内機側熱交換器に流入する。室内機側熱交換器に流入した高温高圧ガス冷媒は室内機側熱交換器内を通る間に上記建物の室内に熱を吐き出して凝縮する。つまり、室内機側熱交換器は暖房時に凝縮器として機能する。このとき高温高圧ガス冷媒から吐き出された熱によって建物の室内の空気が暖められる。室内に熱を吐き出して凝縮した冷媒は一部が液化し、さらに冷媒管に設けられた膨張弁で膨張することにより蒸発しやすいように低圧化される。
【００３７】
空気調和装置１０が暖房モードで作動するとき、上記切換弁が冷却水を第一分岐路側にのみ流す第一切換状態となる。そのためガスエンジンによって加熱され且つ冷却水用ポンプの動力によって冷却水管内を流れる冷却水は、第一分岐路に設けられたエンジン排熱回収器へ流れる。そのため、冷却水の熱がエンジン排熱回収器において冷媒管内の低圧化された冷媒へ伝わる。即ち、冷却水の排熱によって冷媒をオーバーヒートする。
【００３８】
エンジン排熱回収器を通った冷媒は室外熱交換器２２の冷却用チューブ２４へ流入する。
すると冷媒が冷却用チューブ２４を流れている間に、ファン３６ａ、３６ｂによって形成され且つ連通路３３内を流れる気流の熱の一部が冷却用チューブ２４によって吸熱され、この熱が冷却用チューブ２４内の冷媒へ伝わる。さらに連通路３３を流れる気流の熱の一部はフィン２３によって吸熱され、さらにこの熱はフィン２３及び冷却用チューブ２４を介して冷却用チューブ２４内の冷媒へ伝わる。
このように室外熱交換器２２は暖房時に蒸発器として機能する。換言すると、室外熱交換器２２は、ファンモータ３８ａ、３８ｂ（ファン３６ａ、３６ｂ）が作り出した気流を利用しながら熱交換機能を発揮する。
【００３９】
外気の熱を奪って蒸発した冷媒は一部が気化し、さらにアキュムレータに導入される。アキュムレータに導入された冷媒は気液分離され、低温低圧のガス冷媒のみが取り出されて圧縮機に戻される。
このような冷媒の循環サイクルが繰り返されることにより、室内暖房が継続される。
【００４０】
一方、空気調和装置１０を冷房モードで作動させると、ガスエンジンの駆動力により圧縮機が作動し、圧縮機が低圧ガス冷媒を圧縮して高温高圧ガス冷媒を生成する。そして、圧縮機が生成した高温高圧ガス冷媒を冷媒管の一方側へ吐出する。するとこの高温高圧ガス冷媒は室外熱交換器２２の冷却用チューブ２４へ流入する。すると冷媒が冷却用チューブ２４を流れている間に、冷媒の熱の一部が冷却用チューブ２４の表面から連通路３３へ放熱される。さらに冷媒の熱の別の一部は冷却用チューブ２４からフィン２３に伝わり、フィン２３から連通路３３へ放熱される。
冷却用チューブ２４及びフィン２３から連通路３３へ放熱された熱によって温められた各連通路３３内の空気は、ファン３６ａ、３６ｂによって形成された上記気流によって各排気孔１８ｂから上部筐体１８の上方へ排気される。
このように室外熱交換器２２は冷房時に凝縮器として機能する。換言すると、室外熱交換器２２は、ファンモータ３８ａ、３８ｂ（ファン３６ａ、３６ｂ）が作り出した気流を利用しながら熱交換機能を発揮する。
【００４１】
さらに空気調和装置１０が冷房モードで作動するとき、上記切換弁が冷却水を第二分岐路側にのみ流す第二切換状態となる。そのためガスエンジンによって加熱され且つ冷却水用ポンプの動力によって冷却水管内を流れる冷却水は、第二分岐路に設けられたラジエータ２８の冷却水用チューブ３０へ流れる。すると冷却水が冷却水用チューブ３０を流れている間に、冷却水の熱の一部が冷却水用チューブ３０の表面から連通路３３へ放熱される。さらに冷却水の熱の別の一部は冷却水用チューブ３０からフィン２９に伝わり、フィン２９から連通路３３へ放熱される。
冷却水用チューブ３０から連通路３３へ排気された熱も、ファン３６ａ、３６ｂによって形成された上記気流によって各排気孔１８ｂから上部筐体１８の上方へ排気される。
【００４２】
外気に熱を吐き出して凝縮した冷媒は一部液化し、その後に膨張弁を通ることによって膨張する。即ち、膨張弁によって蒸発しやすいように低圧化される。冷媒管内の冷媒は、その後に室内機側熱交換器に流入する。室内機側熱交換器に流入した冷媒は室内機側熱交換器内を通る間に室内空気の熱を奪って蒸発する。つまり、冷房時には室内機側熱交換器が蒸発器として機能する。このとき冷媒が上記建物の室内の空気の熱を奪うことによって室内空気が冷やされて、室内が冷房される。
【００４３】
室内空気の熱を奪って蒸発した冷媒は一部気化し、室内機側熱交換器を通り抜けた後に冷媒管を流れてアキュムレータに導入される。アキュムレータに導入された冷媒は気液分離され、低温低圧のガス冷媒のみが圧縮機に戻される。このような冷媒の循環サイクルが繰り返されることにより、室内冷房が継続される。
【００４４】
上述のようにファンモータ３８ａ、３８ｂとして利用されるブラシレスＤＣモータは、室外機１５にとって好適な「適正ブラシレスＤＣモータ」である必要がある。即ち、ファンモータ３８ａ、３８ｂは、使用可能範囲電圧が印加されたときに、室外熱交換器２２及びラジエータ２８が定格熱交換能力を発揮しうるような回転速度Ｎ（単位時間当たりの回転数）で回転する必要がある。
そのため本実施形態では、室外機１５の製造が完了した後に、図１に示した室外機１５とは別体のモータ種別判定装置５０を利用して、ファンモータ３８ａ、３８ｂとして利用されるブラシレスＤＣモータが適正ブラシレスＤＣモータであるか否かを判定する。
【００４５】
モータ種別判定装置５０は、ＣＰＵ等を含む制御手段５０ａ、制御手段５０ａに接続された記録手段５０ｂ、及び制御手段５０ａに接続された表示手段５０ｃを備えている。
さらにモータ種別判定装置５０は、制御手段５０ａに対して一端が間接的に接続され且つ可撓性を有するケーブル５１、及びケーブル５１の他端に接続されたコネクタ５２を備えている。
さらに制御手段５０ａはコンバータ回路及びインバータ回路を備えている。
【００４６】
さらにモータ種別判定装置５０の記録手段５０ｂには、図３に示す判定データが記録されている。
この判定データは、ファンモータ３８ａ、３８ｂとして互いに別種類（即ち、３種類）のブラシレスＤＣモータ（図示略）がそれぞれ搭載された３種類の室外機（図示略。ファンモータ３８ａ、３８ｂ以外は室外機１５と同一仕様の室外機）のファンモータ３８ａ、３８ｂに様々な大きさの電圧（交流電流）を印加したときの印加電圧の大きさと各ブラシレスＤＣモータの回転速度Ｎとの関係を表している。この判定データは、この３種類の室外機に対して、実際に様々な大きさの電圧を印加する実験を行うことによって得られる。
この３種類のモータは、それぞれ適正ブラシレスＤＣモータ、過大容量ブラシレスＤＣモータ、及び過小容量ブラシレスＤＣモータである。過大容量ブラシレスＤＣモータのモータ容量は適正ブラシレスＤＣモータより大きい。一方、過小容量ブラシレスＤＣモータのモータ容量は適正ブラシレスＤＣモータより小さい。
【００４７】
図３中のグラフ１は適正ブラシレスＤＣモータに印加した電圧の大きさと回転速度Ｎとの関係を表している。
同様に、グラフ２は過大容量ブラシレスＤＣモータに印加した電圧の大きさと回転速度Ｎとの関係を表しており、グラフ３は過小容量ブラシレスＤＣモータに印加した電圧の大きさと回転速度Ｎとの関係を表している。
【００４８】
モータ種別判定装置５０のコネクタ５２を室外機１５のコネクタ４５に接続した上でモータ種別判定装置５０に対して図示を省略した交流電源の電力を供給すると、この電力が上記コンバータ回路によって直流電流に変換され、さらに直流電流が上記インバータ回路により所定周波数の交流電流に変換される。そして制御手段５０ａ（電圧印加手段）が、この交流電流をケーブル５１、コネクタ５２、コネクタ４５、電力供給線４７、制御手段４０及び電力供給線４１を介してファンモータ３８ａ、３８ｂに供給する。そのため、ファンモータ３８ａ、３８ｂが回転する。このとき制御手段５０ａがファンモータ３８ａ、３８ｂに印加する電圧（実効値）の大きさは、図３に示した試験電圧Ｖｔである。制御手段５０ａは、印加電圧のＤｕｔｙ比を調整するＰＷＭ制御を実行することにより、ファンモータ３８ａ、３８ｂに供給する電力の印加電圧の大きさを調整する。
【００４９】
ファンモータ３８ａ、３８ｂが回転すると、各電気角検出手段３９ａ、３９ｂがファンモータ３８ａ、３８ｂの電気角（回転角）をそれぞれ検出する。そして電気角検出手段３９ａ、３９ｂは、検出した電気角に関する情報を各電気角信号送信線４２を介して制御手段４０へ出力する。すると制御手段４０が受信した電気角情報を信号線４６、コネクタ４５、コネクタ５２、及びケーブル５１を介してモータ種別判定装置５０の制御手段５０ａへ送信する。
【００５０】
すると制御手段５０ａが、ファンモータ３８ａ、３８ｂに供給されている試験電圧Ｖｔの大きさ及び受信した電気角情報を判定データと比較する。より具体的には、制御手段５０ａ（回転速度検出手段）（判定手段）は、ファンモータ３８ａ、３８ｂの電気角情報に基づいて計算したファンモータ３８ａ、３８ｂの回転速度Ｎが、図３に示した「適正回転速度領域」にあるか否かを判定する。
そして回転速度Ｎが適正回転速度領域にあるとき、制御手段５０ａは「ファンモータ３８ａ、３８ｂは適正ブラシレスＤＣモータである」と判定し、表示手段５０ｃにその旨を表示させる。
一方、回転速度ＮがＮＧ１領域にあるとき、制御手段５０ａは「ファンモータ３８ａ、３８ｂは過大容量ブラシレスＤＣモータである」と判定し、表示手段５０ｃにその旨を表示させる。
また、回転速度ＮがＮＧ２領域にあるとき、制御手段５０ａは「ファンモータ３８ａ、３８ｂは過小容量ブラシレスＤＣモータである」と判定し、表示手段５０ｃにその旨を表示させる。
なお、ファンモータ３８ａとファンモータ３８ｂとが互いに別種のブラシレスＤＣモータの場合（例えば、ファンモータ３８ａが適正ブラシレスＤＣモータであり、ファンモータ３８ｂが過大容量ブラシレスＤＣモータの場合）は、その旨が表示手段５０ｃに表示される。
【００５１】
そのためモータ種別判定装置５０の表示手段５０ｃを見た作業者は、室外機１５に搭載されているファンモータ３８ａ、３８ｂが適正ブラシレスＤＣモータ、過大容量ブラシレスＤＣモータ、及び過小容量ブラシレスＤＣモータのいずれであるかを確実に認識できる。
そして、仮にファンモータ３８ａ及びファンモータ３８ｂの少なくとも一方が過大容量ブラシレスＤＣモータ又は過小容量ブラシレスＤＣモータである場合は、作業者はこのファンモータ３８ａ、３８ｂを適正ブラシレスＤＣモータに交換する作業を行う。
【００５２】
ブラシレスＤＣモータは、自身の回転子の回転位置を検出するための電気角検出手段３９ａ、３９ｂを一般的に備えている。
さらにブラシレスＤＣモータは、空気調和装置１０の室外機１５用のファンモータ３８ａ、３８ｂとして従来から広く利用されている。
従って、本実施形態によれば、（コネクタ４５を付加するものの）既存の室外機に対して大幅な設計変更を行うことなく室外機１５を生産可能である。そしてこの室外機１５に搭載されたファンモータ３８ａ、３８ｂが適正ブラシレスＤＣモータであるか否かの判定を行うための測定を、モータ種別判定装置５０を利用して簡単且つ確実に実行できる。
【００５３】
なお、電気角検出手段を内蔵していないブラシレスＤＣモータも存在する。従って、この種のブラシレスＤＣモータをファンモータとして利用している既存の室外機に対して設計変更を行うことにより本実施形態の室外機１５を製造する場合は、ブラシレスＤＣモータの設計変更を行う必要がある。
しかし、この場合の設計変更は簡単である。即ち、この場合も大幅な設計変更を行う必要がない。
【００５４】
さらに、電気角検出手段を内蔵していないブラシレスＤＣモータの（永久磁石からなる）回転子の回転角を、回転子が回転することで発生する誘起電圧（起電力)の変化に基づいて検出することが可能である。従って、ブラシレスＤＣモータに対して電気角検出手段を付加する代わりに、制御手段５０ａに、回転子が発生する誘起電圧の変化に基づいて回転子の回転角を検出（算出）する機能（回転速度検出手段）を持たせる設計変更を行ってもよい。
この場合の設計変更も簡単である。即ち、この場合も大幅な設計変更を行う必要がない。
【００５５】
以上、本発明の実施形態について説明したが、本発明は上記実施形態に限定されるべきものではない。
例えば、モータ種別判定装置５０にバッテリを内蔵させてもよい。
また、モータ種別判定装置５０の制御手段５０ａ、記録手段５０ｂ及び表示手段５０ｃを室外機１５に内蔵させてもよい。即ち、モータ種別判定装置５０を室外機１５と一体化させてもよい。
【００５６】
室外熱交換器２２とラジエータ２８の積層数は４層である必要はなく、一層でも、４層以外の複数層でもよい。
室外機１５の熱交換手段を、室外熱交換器２２とラジエータ２８の一方のみによって構成してもよい。
【００５７】
ガスヒートポンプエアコン（ＧＨＰ）以外の空気調和装置１０に本発明を適用してもよい。
【符号の説明】
【００５８】
１０・・・空気調和装置、１５・・・室外機、２２・・・室外熱交換器（熱交換手段）、２８・・・ラジエータ（熱交換手段）、３３・・・連通路、３６ａ、３６ｂ・・・ファン、３８ａ、３８ｂ・・・ファンモータ、３９ａ、３９ｂ・・・電気角検出手段、４０・・・制御手段、４５・・・コネクタ、５０・・・モータ種別判定装置、５０ａ・・・制御手段（回転速度検出手段）（電圧印加手段）（判定手段）、５０ｂ・・・記録手段、５０ｃ・・・表示手段、５１・・・ケーブル、５２・・・コネクタ。
【図１】
2018028393.tif 000003
【図２】
2018028393.tif 000004
【図３】
2018028393.tif 000005